(57)【特許請求の範囲】
【請求項１】
上方に開口を有しかつロール状にラップフィルムを巻回してなるラップフィルム本体を収容する箱部と、上記開口を開閉自在に覆うように上記箱部に取り付けられた板状の蓋と、上記蓋の先端部に取り付けられた切断刃とを有し、上記ラップフィルム本体のラップフィルムの先端部分を上記開口及び上記蓋間の隙間から上記箱部の前面板部の前面側を通って外部に引き出した状態で上記切断刃に押し付けることにより上記先端部分を上記ラップフィルム本体から切り離すラップフィルム容器と、
上記箱部の上記前面板部の前面側にある上記ラップフィルムの上記先端部分に剥離できるように付着した状態で、当該先端部分をほぼ幅全体について一体に引き出すと共に、上記切断刃に押し付けて切り離すことができる板状のラップフィルムガイドと
を具え、
上記蓋の先端部分は、上記箱部の上記前面板部と対向するように下方に折れ曲り、当該折曲り部の先端に上記切断刃が取り付けられると共に、
上記ラップフィルムガイドには上記切断刃を収納できる保護用の凹部が形成され、
不使用時、上記ラップフィルムガイドの上記凹部に上記切断刃を収納することにより、上記切断刃が外部に露出しないように保護した状態において、当該ラップフィルムガイドを、上記箱部の上記前面板部の前面に引き出されている上記ラップフィルムの先端部に前方から付着させることにより、上記ラップフィルムガイドを上記箱部の上記前面板部に保持する
ことを特徴とするラップフィルム供給器。
【請求項２】
上方に開口を有しかつロール状にラップフィルムを巻回してなるラップフィルム本体を収容する箱部と、上記開口を開閉自在に覆うように上記箱部に取り付けられた板状の蓋と、上記箱部の前面板部に取り付けられた切断刃とを有し、上記ラップフィルム本体のラップフィルムの先端部分を上記開口及び上記蓋間の隙間から上記箱部の前面板部の前面側を通って外部に引き出した状態で上記切断刃に押し付けることにより上記先端部分を上記ラップフィルム本体から切り離すラップフィルム容器と、
上記箱部の上記前面板部の前面側にある上記ラップフィルムの上記先端部分に剥離できるように付着した状態で、当該先端部分をほぼ幅全体について一体に引き出すと共に、上記切断刃に押し付けて切り離すことができる板状のラップフィルムガイドと
を具え、
上記箱部の上記前面板部の下端部に前方に突出するように上記切断刃が設けられると共に、
上記ラップフィルムガイドの下端部後面には上記切断刃を前方から収納できる保護用の凹部が形成され、
不使用時、上記ラップフィルムガイドの上記凹部に上記切断刃を収納することにより、上記切断刃が外部に露出しないように保護した状態において、当該ラップフィルムガイドを、上記箱部の上記前面板部の前面に引き出されている上記ラップフィルムの先端部分に前方から付着させることにより、上記ラップフィルムガイドを上記箱部の上記前面板部に保持する
ことを特徴とするラップフィルム供給器。
【請求項３】
上方に開口を有しかつロール状にラップフィルムを巻回してなるラップフィルム本体を収容する箱部と、上記開口を開閉自在に覆うように上記箱部に取り付けられた板状の蓋と、上記蓋の先端部に取り付けられた切断刃とを有し、上記ラップフィルム本体のラップフィルムの先端部分を上記開口及び上記蓋間の隙間から上記箱部の前面板部の前面側を通って外部に引き出した状態で上記切断刃に押し付けることにより上記先端部分を上記ラップフィルム本体から切り離すラップフィルム容器と、
上記箱部の上記前面板部の前面側にある上記ラップフィルムの上記先端部分に剥離できるように付着した状態で、当該先端部分をほぼ幅全体について一体に引き出すと共に、上記切断刃に押し付けて切り離すことができる板状の第１及び第２のラップフィルムガイドと
を具え、
上記蓋の先端部分は、上記箱部の上記前面板部と対向するように下方に折れ曲り、当該折曲り部の先端に上記切断刃が取り付けられると共に、
上記折曲り部の先端には、不使用時上記切断刃が外部に露出しないように保護する覆い板が設けられ、
不使用時、上記第１及び第２のラップフィルムガイドは、互いに重ね合わされかつ上記第１又は第２のラップフィルムガイドのうち前面側の一方の上記ラップフィルムガイドに上記ラップフィルムの上記先端部分を付着させた状態で上記箱部の上記前面板部に設けられた保持手段によって上記箱部の上記前面板部の前面側において保持され、
使用時、上記前面側の一方の上記ラップフィルムガイドを上記保持手段からはずして上記ラップフィルムを引き出して上記切断刃によって切断した後、当該保持手段からはずした一方の上記ラップフィルムガイドを、上記保持手段に残っている他方の上記ラップフィルムガイドと上記箱部の上記前面板部との間に下方から差し込むことにより、上記切断後に上記ラップフィルムの上記先端部分に付着された他方の上記ラップフィルムガイドと重ね合わせた状態で上記保持手段に保持させる
ことを特徴とするラップフィルム供給器。
【請求項４】
ラップフィルム容器内に収容されかつロール状にラップフィルムを巻回してなるラップフィルム本体の上記ラップフィルムに対して付着性を有する材料によって板状に構成され、上記ラップフィルム容器の外部に引き出された状態の上記ラップフィルムの先端部分にほぼ幅全体に亘って付着して当該先端部分を一体に外方に引き出して上記ラップフィルム容器に設けられた切断刃に押し付けて切り離すことができ、
不使用時、上記ラップフィルムの先端部分に付着した状態で上記ラップフィルム容器に保持されると共に、ラップフィルムガイドに設けられた保護用の凹部に上記切断刃を収納することにより上記切断刃が外部に露出しないように保護する
ことを特徴とするラップフィルムガイド。
【請求項５】
板状に構成され、表面にラップフィルム容器内に収容されかつロール状にラップフィルムを巻回してなるラップフィルム本体の上記ラップフィルムに対して付着性を有する材料でなる仮留め部材が設けられ、上記仮留め部材を上記ラップフィルム容器の外部に引き出された状態の上記ラップフィルムの先端部分にほぼ幅全体に亘って付着させた状態で当該先端部分を一体に外方に引き出して上記ラップフィルム容器に設けられた切断刃に押し付けて切り離すことができ、
不使用時、上記仮留め部材によって上記ラップフィルムの先端部分に付着した状態で上記ラップフィルム容器に保持されると共に、ラップフィルムガイドに設けられた保護用の凹部に上記切断刃を収納することにより上記切断刃が外部に露出しないように保護する
ことを特徴とするラップフィルムガイド。
【請求項６】
ロール状にラップフィルムを巻回してなるラップフィルム本体を内部に収納し、前面板部の前面を通って外部に引き出された上記ラップフィルム本体のラップフィルムの先端部分を切断する切断刃及び当該切断刃が外部に露出しないように保護する覆い板を有するラップフィルム容器と、
板状に構成され、かつ上記ラップフィルムに対して付着性を有する材料でなり及び／又は上記ラップフィルムに対して付着性を有する材料でなる仮留め部材を有する第１及び第２のラップフィルムガイドとを具え、
不使用時、上記第１及び第２のラップフィルムガイドは、互いに重ね合わされかつ上記第１又は第２のラップフィルムガイドのうち前面側の一方の上記ラップフィルムガイドに上記ラップフィルムの上記先端部分を付着させた状態で上記前面板部に設けられた保持手段によって上記前面板部の前面側において保持され、
使用時、上記前面側の一方の上記ラップフィルムガイドを上記保持手段からはずして上記ラップフィルムを引き出して上記切断刃によって切断した後、当該保持手段からはずした一方の上記ラップフィルムガイドを、上記保持手段に残っている他方の上記ラップフィルムガイドと上記前面板部との間に下方から差し込むことにより、上記切断後に上記ラップフィルムの上記先端部分に付着された他方の上記ラップフィルムガイドと重ね合わせた状態で上記保持手段に保持させる
ことを特徴とするラップフィルム供給器。
【発明の詳細な説明】
技術分野
この発明はラップフィルム供給器に関し、特に食品などを包装したり、貯蔵したり、又は調理をする際に、容器からラップフィルムを必要な分だけ切り取って用いる場合などに適用して好適なものである。
背景技術
従来、この種のラップフィルムは、例えば図２２に示すように、紙製であって箱型の容器２０に、ラップフィルム本体１１が収容されており、使用に際して蓋２２をあけ、指でラップフィルム１１ａのほぼ中央部分Ａを指でつまみ、必要量引き出した後、蓋２２の前端に下方に向って折曲形成された前板片２３に取り付けられた鋸歯状の切断刃２４を介して切断していた。
このような構造の従来のラップフィルム容器には、次のような問題がある。
（１）ユーザが、うっかりラップフィルム１１ａの右又は左側の端部のみをつまんで引き出そうとすると、ラップフィルム１１自体の材質に起因する同材質の親和性（同じ材質のため、いわゆる材質相互のなじみが良く、くっつき易い意味）により、上層のラップフィルム１１ａは下層のラップフィルム１１ａと付着しているため、うまく引き出すことができず、仮に引き出しても一方の端部側のみが引き出されてしわができたりして、幅全体にわたってバランス良く引き出すことができず、いちいち目で確認してほぼ中央部Ａをつまみ出すようにしなければならず、煩雑である。
（２）不使用時においても切断刃２４の先端が外部に露出しているため、誤って怪我をするおそれがあり、何でも口にしたり、オモチャにする習性がある幼児にとっては特に危険であり、ＰＬ対策に欠けている。
（３）手でつまんでラップフィルム１１ａを引き出して使用するため、手が汚れていたような場合、雑菌がラップフィルム１１ａや容器２０に汚染するおそれがあり、Ｏ−１５７対策などが叫ばれている昨今、衛生的観点からすると余り好ましくない。
発明の開示
この発明は以上の点を考慮してなされたもので、その目的とするところは、ラップフィルムを容易かつしわができないようにバランス良く引き出すことができ、また安全性に優れ、かつ衛生的なラップフィルム供給器を提供することにある。
かかる課題を解決するため本発明においては、請求項１又は２（及び４又は５）について、上方に開口６を有しかつロール状にラップフィルムを巻回してなるラップフィルム本体１１を収容する箱部（２、３、４、５）と、開口６を開閉自在に覆うように箱部（２、３、４、５）に取り付けられた板状の蓋７と、蓋７の先端部又は箱部（２、３、４、５）の前面板部２に取り付けられた切断刃１０、１０ａとを有し、ラップフィルム本体のラップフィルム１１ａの先端部分を開口６及び蓋７間の隙間から箱部（２、３、４、５）の前面板部２の前面側を通って外部に引き出した状態で切断刃１０、１０ａに押し付けることにより先端部分をラップフィルム本体１１から切り離すラップフィルム容器１と、箱部（２、３、４、５）の前面板部２の前面側にあるラップフィルム１１ａの先端部分に剥離できるように付着した状態で、当該先端部分をほぼ幅全体について一体に引き出すと共に、切断刃１０、１０ａに押し付けて切り離すことができる板状のラップフィルムガイド１３、１３Ａとを設け、蓋７の先端部分は、箱部（２、３、４、５）の前面板部２と対向するように下方に折れ曲り、当該折曲り部の先端又は前面板部２の下端部には切断刃１０、１０ａが取り付られると共に、ラップフィルムガイド１３、１３Ａには切断刃１０、１０ａを収納できる保護用の凹部ａ、１３ａが形成され、不使用時、ラップフィルムガイド１３、１３Ａの凹部ａ、１３ａに切断刃１０、１０ａを収納することにより、切断刃１０、１０ａが外部に露出しないように保護した状態において、当該ラップフィルムガイド１３、１３Ａを、箱部（２、３、４、５）の前面板部２の前面に引き出されているラップフィルム１１ａの先端部に前方から付着させることにより、ラップフィルムガイド１３、１３Ａを箱部（２、３、４、５）の前面板部２に保持する。
これにより、ラップフィルム１１ａをラップフィルムガイド１３によって容易かつしわができないようにバランス良く引き出すことができ、これに加えて、不使用時ラップフィルムガイド１３、１３Ａによって切断刃１０をユーザに危険にならないように保護しながら次の使用のために前面板部２の前面に引き出されたラップフィルム１１ａの先端部に付着保持することができる。
また請求項３（及び６）について、上方に開口６を有しかつロール状にラップフィルムを巻回してなるラップフィルム本体１１を収容する箱部（２、３、４、５）と、開口６を開閉自在に覆うように箱部（２、３、４、５）に取り付けられた板状の蓋７と、蓋７の先端部に取り付けられた切断刃１０、１０ａとを有し、ラップフィルム本体のラップフィルム１１ａの先端部分を開口６及び蓋７間の隙間から箱部（２、３、４、５）の前面板部２の前面側を通って外部に引き出した状態で切断刃１０に押し付けることにより先端部分をラップフィルム本体１１から切り離すラップフィルム容器１と、箱部（２、３、４、５）の前面板部２の前面側にあるラップフィルム１１ａの先端部分に剥離できるように付着した状態で、当該先端部分をほぼ幅全体について一体に引き出すと共に、切断刃１０に押し付けて切り離すことができる板状の第１及び第２のラップフィルムガイド１３Ｃ、１３Ｄとを具え、蓋７の先端部分は、箱部（２、３、４、５）の前面板部２と対向するように下方に折れ曲り、当該折曲り部の先端に切断刃１０が取り付けられると共に、折曲り部の先端には、不使用時切断刃１０が外部に露出しないように保護する覆い板１２が設けられ、不使用時、第１及び第２のラップフィルムガイド１３Ｃ、１３Ｄは、互いに重ね合わされかつ第１又は第２のラップフィルムガイド１３Ｃ、１３Ｄのうち前面側の一方のラップフィルムガイド１３Ｃ、１３Ｄにラップフィルム１１ａの先端部分を付着させた状態で箱部（２、３、４、５）の前面板部２に設けられた保持手段（１８、１９）によって箱部（２、３、４、５）の前面板部２の前面側において保持され、使用時、前面側の一方のラップフィルムガイド１３Ｃ、１３Ｄを保持手段（１８、１９）からはずしてラップフィルム１１ａを引き出して切断刃１０によって切断した後、当該保持手段（１８、１９）からはずした一方のラップフィルムガイド１３Ｃ、１３Ｄを保持手段（１８、１９）に残っている他方のラップフィルムガイド１３Ｃ、１３Ｄと前面板部２との間に下方から差し込むことにより切断後にラップフィルム１１ａの先端部分に付着された他方のラップフィルムガイド１３Ｃ、１３Ｄと重ね合わされた状態で保持手段（１８、１９）に保持させる。
これにより、ラップフィルム１１ａをラップフィルムガイド１３Ｃ、１３Ｄによって容易かつしわができないようにバランス良く引き出すことができ、これに加えて、不使用時覆い板１２によって切断刃１０をユーザに危険にならないように保護し得る。
さらに、ラップフィルムガイドを２枚用意することにより、１枚目の第１のラップフィルムガイド１３Ｃを取り外せば、２枚目のセットされている第２のラップフィルムガイド１３Ｄの表面に自動的にラップフィルム１１ａが付着し、第１又は第２のラップフィルムガイド１３Ｃ又は１３Ｄを交互に使用できる。また、何れか一方を紛失又は破損しても、残った他方によって使用できる。
発明を実施するための最良の形態
以下図面について、本発明の一実施の形態を詳述する。
（１）第１の実施の形態
図１〜図３において、１は、箱型をしたラップフィルム容器で、このラップフィルム容器１は前板２、底板３、左右の側板４、背板５によって上部が開口部６を有する箱状に形成され、かつ背板５に対し基端７ａが回動自在に設けられた蓋７を有す。そして蓋７の長さ方向の両端には各側板４の外側に対向して位置する側板片８がそれぞれ設けられている。また、蓋７の前端には下方向に向かって直角に折り曲げられた前板片９が設けられている。この下方に向かって延びる前板片９の寸法は前板２の寸法に対しほぼ１／２前後になっている。
かかる構成の容器は例えば合成樹脂を射出成形して成型される。合成樹脂材料としては、例えばエポキシ樹脂、アクリル樹脂などのプラスチックが考えられる。このような成型品は従来の紙性のものに比べ堅牢なため、ラップフィルム１１ａがなくなった場合、新しいものに詰め替えて再使用ができる。ここで、１枚板を接着材を用いたり超音波溶着などにより箱型に貼り合わせることも可能であるが、労力的、生産性から成型品の方が優れている。
前板片９の内側に鋸歯状の切断歯１０が一体成型により設けられ、この細長い帯状の切断歯１０の先端の刃部１０ａは前板片９の前端から僅かに露出し、引き出されたラップフィルム１１ａを切断可能になっている。
また、前板片９の下方向の前端には、前板片９に対し、図４に示すように外側に向って回動自在でかつ下方向に延びる長さ寸法の短い切断刃先端の刃部１０ａを覆う覆い板１２が設けられ、誤って刃部１０ａによって幼児等のユーザが怪我をしないように（保護するように）構成されている。
ラップフィルム１１ａは平滑面同士は互いに付着し合うという自己付着性を有している。従って、ラップフィルム容器１の表面がラップフィルム１１ａとくっつく程平滑であり、容器の材質がラップフィルム１１ａとくっつき易い材質の場合、ラップフィルム１１ａを外部へ引き出しにくくなる。このため、ラップフィルム容器１の材料としてそのようなプラスチックは避けることが好ましい。ラップフィルム１１ａがくっつき易い材料の場合、それを防止するため、容器内部の表面を凹凸仕上げにし、ラップフィルム１１ａと容器表面との接合状態を少なくして付着度を落とせば良い。勿論、表面が平滑であってもくっつきにくい材質であればそれを用いれば良い。くっつきにくい材料としては、例えばカチオン界面活性剤若しくはフッ素樹脂によって表面処理された板状体、又は例えば商標名ベークライト（Ｂａｋｅｌｉｔｅ）でなる板状体を適用できる。
また、ラップフィルム容器１は、透明又は半透明の材料が用いられ、これにより内部にあるラップフィルム本体１１の残量が見えるようになっている。
背板５に対し蓋７を回動自在にしたり、前板片９に対し覆い板１２を回動自在にする手段としては、図５及び図６に示すように、例えば可撓性を有するテープ１３で相方の部材、つまりこの場合、蓋７と背板５若しくは前板片９と覆い板１２とを連結したり、又は折曲させたい連結部となる部分を、図７に示すように、成形時に裏側に凹部Ｂを形成し薄肉状の薄肉部ａとすれば可撓性を有する樹脂は屈曲性があるため、容易に実現し得る。また、図７とは逆に、図８に示すように、表面に凹部Ｂを形成すれば、前板片９に対し覆い板１２を折曲させた場合、相互のコーナ部Ａを折曲範囲のストッパとして機能させることができる。
また、図１〜図４において、１３はラップフィルムガイドで、このラップフィルムガイド１３はほぼ０．５ｍｍ〜２ｍｍ程度の厚みを有する板形状に構成され、不使用時には前板２と前板片９との間に挟み込むように収納されている。この場合、ラップフィルムガイド１３は薄いため、かさばることはない。このラップフィルムガイド１３の内面又は外面の例えば上端部には引き出されたラップフィルム１１ａが付着すると共に、上端部が前板２及び前板片９間に挟持されることにより、ラップフィルムガイド１３は脱落することなく保持される。
なお、図２などの図示状態では、前板２、ラップフィルムガイド１３、前板片９との間に隙間があるが、これは各部材をわかり易く図示したもので、実製品においては各部材は接合している。
またラップフィルムガイド１３は合成樹脂材料からなり、表面が平滑面となっているため、材質に起因して自己付着性を有するラップフィルム１１ａと親和性がある。また、静電気の作用などにもより近づけたり、接触させたりするだけで簡単に付着させることができる。前板２や前板片９の表面も平滑面となっているため、それらの付着力によってラップフィルムガイド１３は前板２と前板片９との間にサンドイッチ状に挟み込んで保持させることができ、振っても落ちることはない。
ラップフィルムガイド１３の材質としては、アクリル系樹脂、エポキシ系樹脂等のプラスチックからなるものを用い、これにより表面が平滑であるため、ラップフィルム１１ａとくっつき易い。特にアクリル系樹脂は多官能で分子量が小さく、加熱成形時に表面が軟質のグロスコート層となるため、ラップフィルム１１ａとの付着強度が良好である。
ラップフィルム本体１１は断面円形を有し、紙製で、かつ円筒状の芯材１４の外周にロール状に巻回されている。このラップフィルム１１ａは、ポリ塩化ビニリデン、ポリ塩化ビニル、ポリブタジエン、ポリエリレン等のプラスチックフィルムからなる。
この実施の形態の場合、ラップフィルム容器１及びラップフィルムガイド１３は抗菌処理が施されている。
抗菌剤としては、銀、銅、亜鉛、錫等の金属及びそれを含有する有機又は無機化合物を用い得る。安全性、効果の持続性を考慮して銀系、銅系無機抗菌剤が好ましい。商品例としては日本国の会社である東亜合成化学社製の「ノバロン」が挙げられる。また、低価格の面で、銀イオン、銅イオンにより抗菌剤を上述の樹脂中に混入すれば良く、又は、成型品の表面に塗布しても良い。
その他の抗菌剤として、植物系のニンニク、ワサビ、日本茶のカテキンを粉末状にして混入しても良い。ワサビからなる抗菌剤は、Ｏ−１５７に対しても優れた効果があることが知られている。この抗菌剤を用いると、ワサビの抗菌成分が徐々に蒸発し、大腸菌などの増殖を抑えることができる。商品例としては、商品名「ワサビパワー」と称される日本国の会社である積水化成工業株式会社製のものがある。
以上の構成において、使用にあたって、図１〜図３の状態において、ラップフィルムガイド１３の下端部を指でつまんで、前方に引けば、先端部分に長さ方向全体にわたってラップフィルム１１ａが自己付着性により付着しているため、容易かつバランス良くラップフィルム１１ａを図９に示すように必要量引き出すことができる。
この場合、図９に示すように、ラップフィルムガイド１３を、ラップフィルム１１ａに対して水平方向に引き出すと、このときラップフィルムガイド１３とラップフィルム１１ａとの間の摩擦係数は最大となり、ラップフィルム１１ａはラップフィルムガイド１３の面に付着した状態を維持できる。そして、図１０に示すように、覆い板１２を持ち上げ、刃部１０ａを露出させ、切断刃１０にラップフィルム１１ａを押し付けることにより切断することができ、かくして覆い板１２が切断時に邪魔になったり、切断を妨げたりすることはない。
切断されたラップフィルム１１ａは、図１１に示すように、食品１６等が入っている容器１５の上方開口部の容器外周上端面１５ａに付着させ、かつ例えばラップフィルムガイド１３を矢印のように下方を支点として回動させれば、内面に付着したラップフィルム１１ａを指でつかんだりすることなく、徐々に摩擦係数は失われ、しかも素早い動作で簡単に剥離させることができる。
その後、ラップフィルムガイド１３の上方部を、ラップフィルム容器１から外部に引き出されているラップフィルム１１ａを先端部分に付着させる。この時ラップフィルム１１ａは前板２に付着しているので、図１に示すように、前板２と前板片９との間にラップフィルムガイド１３を収納させれば良い。付着は静電気によってラップフィルムガイド１３をラップフィルム１１ａに近づけるだけで容易に行い得る。また接触させれば、ラップフィルムの自己付着性とラップフィルムガイド１３の親和性とによって付着させることができる。
以上の構成によれば、次回の使用時には上端部分にラップフィルム１１ａを付着させた状態のラップフィルムガイド１３を再度前方に引けば、再び容易かつバランス良くラップフィルム１１ａをラップフィルム容器１から引き出すことができる。
不使用時には、図１〜図３に示すように、覆い板１２によって刃部１０ａが覆われているため、ユーザが怪我をすることがないように安全に保護される。
さらに、ラップフィルムカイド１３を介してラップフィルム１１ａを引き出すようになされているので、ラップフィルム１１ａを直接手で触れる機会は従来より少なくなり、この分より衛生的である。
また、ラップフィルム切れになった場合、ラップフィルム容器１、ラップフィルムガイド１３の材料は堅牢なものからなり丈夫なため、別途、新しいラップフィルム本体１１を補充し、何回でも再使用可能であり、経済的である。
（２）第２の実施の形態
図１２及び図１３は本発明の第２の実施の形態を示す。この実施の形態は、ラップフィルムガイド１３の一部を肉厚にし、かつラップフィルムガイド１３をラップフィルム容器１に装着した場合、切断刃１０を収納するほぼ凹状の切断刃収納部ａを形成したことに特徴を有す。
このため、図１〜図４の場合のように、覆い板１２を設けなくても切断刃１０が外部に露出することはなく、従ってユーザが怪我をしないように切断刃１０を保護できる。
（３）第３の実施の形態
図１４は本発明の第３の実施の形態を示す。この場合は、ラップフィルムガイド１３Ａでラップフィルム容器１の前面を覆うことができるようにし、かつ切断刃１０は底板３の前端部３ａに設けられた点に特徴を有す。
ここで、部材相互の関係をラップフィルム１１ａの両側に隙間があるように図示しているが、これはわかり易く図示したに過ぎない。実際には、ラップフィルム１１ａはラップフィルムガイド１３Ａの内面にラップフィルム１１ａの自己付着性により付着され、またラップフィルム１１ａは底板３の前端上面に立設された前板２の外面にも自己付着性により付着されるため、軽量であって薄板状のラップフィルムガイド１３Ａをラップフィルム容器１の前面側に保持させることができる。  また、ラップフィルムガイド１３Ａの下方内側には切欠状の凹部１３ａが形成され、この部分に切断刃１０の刃部１０ａが収納され、不使用時に刃部１０ａが外部に露出しないように保護する構成になっている。
図１４の構成において、不使用時ラップフィルムガイド１３Ａは前板２の前面に引き出されたラップフィルム１１ａに、相互間に生ずる付着力によって付着され、このときラップフィルムガイド１３Ａの下方内側に設けられている凹部１３ａ内に切断刃１０を収納することによりユーザに怪我させないように保護される状態になる。
この状態において、ユーザがラップフィルムガイド１３Ａを指でつまんで前方に引けば、ラップフィルムガイド１３に付着しているラップフィルム１１ａの先端部分が前方に引かれることによりラップフィルム１１ａがラップフィルム容器１から外部に引き出され、その後ユーザがラップフィルムガイド１３Ａを底板３の下方に移動させることによりラップフィルム１１ａが切断刃１０に押し付けられて切断される。
このとき前板２の前面側には引き出されたラップフィルム１１ａが残っているので、ユーザが切断したラップを取りはずしてラップフィルムカイド１３Ａを付着させることにより、前述の不使用状態に戻る。
このようにすれば、図１〜図４について上述したと同様の効果を得ることができる。
（４）第４の実施の形態
図１５は本発明の第４の実施の形態を示す。この場合、蓋７の前部に下方に向って延びる前板片９を設け、この前板片９の下端部は前板２のほぼ半分の高さ位置にまで延びている。ラップフィルムガイド１３Ｂを取り外しても前板２の上端とこれと対向する蓋７の内面との間に形成されたラップフィルム１１ａを引き出すための隙間の前方に前板片９がある。
以上の構成によれば、ユーザは図１４について上述した同様にしてラップフィルム１１ａの切断動作をなし得る。かくするにつき、前板片９と前板２とによってラップフィルム容器１の内部に埃が侵入しにくいようにできる。また、ラップフィルムガイド１３Ｂの上端部を前板片９の下端部に一段と容易に着脱自在に保持し得る。
（５）第５の実施の形態
図１６ないし図２０は本発明の第５の実施の形態を示し、この場合は、２枚のラップフィルムガイド１３Ｃ、１３Ｄを互いに重ね合わせてラップフィルム容器１に用いる。
この場合、図１６及び図１７に示すように、前板２の両側部に高さ方向に延びる棒状のリブ１７（合成樹脂材料でなる）がそれぞれ設けられ、各リブ１７の、例えば上方内側の位置に、内側方向に三角形状に突出して第１及び第２のラップフィルムガイド１３Ｃ及び１３Ｄと係止可能なテーパ部１８ａを有するフック部１８が設けられている。フック部１８の反対側（すなわち外側）には切欠き部ｂが形成され、これによりフック部１８が外側に撓むことができるようになされている。
各第１及び第２のラップフィルムガイド１３Ｃ及び１３Ｄの両端部にはフック部１８とほぼ対応して三角形状に内側方向に凹むように、フック部１８と係止可能なテーパ部１９ａ有する切欠１９が形成され、これによりラップフィルム容器１の前部に第１及び第２のラップフィルムガイド１３Ｃ及び１３Ｄを保持できるように構成されている。
２枚のラップフィルムガイド１３Ｃ及び１３Ｄが互いに重ね合う状態にあるとき、外側に位置する第１のラップフィルムガイド１３Ｃ又は１３Ｄ（図１８の場合１３Ｃ）がラップフィルム１１ａの前面に付着する。
以上の構成において、使用時、まず、図１８及び図１９に示すように、ユーザが外側に位置する第１のラップフィルムガイド１３Ｃを手でつまんでフック部１８から切欠１９が外れるように前方に動かして係合を外した後、図１９に示すように、前方に移動させることによりラップフィルム１１ａの先端部を所定量だけラップフィルム容器１から引き出し、当該引き出したラップフィルム１１ａの先端部の根元部分を切断刃１０ａに押しつけることによりラップフィルム１１ａの先端部を切断する。
この状態において、図１９及び図２０に示すように、当該内側にあった第２のラップフィルムガイド１３Ｄの前面が、ラップフィルム容器１から引き出されて切断されずに残っているラップフィルム１１ａに付着する。
その後、第１のラップフィルムガイド１３Ｃは、図２０に示すように、ユーザによって前板２と第２のラップフィルムガイド１３Ｄとの間に矢印で示すように押し込まれる。この場合、リブ１７のフック部１８とは反対側部分に切欠きｂが形成されているので、図１７において矢印で示すように、フック部１８は外側へ撓むため、ラップフィルムガイド１３Ｃを容易に押し込むことができ、これによりフック部１８に切欠１９を第２のラップフィルムガイド１３Ｄの内側位置において、これと一緒に係合させることができる。
このとき、第１及び第２のラップフィルムガイド１３Ｃ及び１３Ｄの位置関係は逆になったことを除いて、図１６及び図１８と同様にして、互いに重なり合った２枚のフィルムガイド１３Ｃ及び１３Ｄをセットすることができる。
次のラップフィルムの使用時には、外側に位置する第２のラップフィルムガイド１３Ｄをラップフィルム容器（１）から前方に移動させることにより、以下、同様の手順を繰り返す。
図１６ないし図２０の構成によればユーザは、２枚のラップフィルムガイド１３Ｃ及び１３Ｄを交互に使用することにより、一段と容易かつ確実にラップフィルム１１ａの引き出しないし切り取り作業をなし得る。
（６）第６の実施の形態
上述の実施の形態の場合、ラップフィルムガイド１３として、ラップフィルム１１ａに付着し易い材質の合成樹脂材料を用いて、ラップフィルムガイド１３をラップフィルム１１ａに付着させるための付着力を得るようにしたが、これに代え、又はこれに加え、ラップフィルムガイド１３の表面にラップフィルム１１ａに対する付着力を有する仮留め部材を設けるようにすることができる。
すなわち、ラップフィルム１１ａに対する付着性が大きい材料で構成されたラップフィルムガイド１３又はラップフィルム１１ａに対する付着性が小さい材料で構成されたラップフィルムガイド１３に対して、ラップフィルムガイド１３の面全体又は適宜の箇所において部分的に、例えば架橋性硬化ニスを塗布し平坦であって薄膜状の塗布層（図示せず）を設ければラップフィルム１１ａに対する付着力が向上する。すなわち、この塗布層は固く平滑なニス層であるため、ラップフィルム１１ａに対する付着性が向上する。
この種のニスとしては、例えばエポキシ系アクリレート、ポリエステル系アクリレート等のアクリル変性樹脂をベースレンジとしたもの、又は不飽和ポリエステル樹脂を用いれば良い。
ニス層に代え、塩化ビニール基を含有する樹脂の組成物からなる貼着層を設けても付着、剥離を繰り返し行うことができ、同様の効果を得ることができるが、塩素系のものはダイオキシン対策から極力避けることが望ましい。貼着層としては例えば商品名「Ｔ・Ｇシート」と称される日本国の会社である持田商工株式会社のものがある。
これはフィルム状のシール材料に粘着性のエラストマを設けて構成されている。この部材は表面に埃が付着して粘着力が低下した場合、水洗いすることにより甦り何度でも再使用可能である。
このように仮留め部材を用いれば、ラップフィルム１１ａが付着しにくい、ラップフィルムガイド１３の材質として従来のように厚紙や商標名「ベークライト」、マグネシウム合金、セラミック等からなる薄板を用いることも可能である。
（７）他の実施の形態
（ａ）  図１ないし図３において、蓋７の側板片８は、蓋７を閉じた場合のラップフィルム容器１の密閉度が高く、かつ蓋７及び前板片９の強度が高ければ、省略しても良い。
（ｂ）  上述の実施の形態においては、切断刃１０を、ラップフィルム容器１と一体に成形するようにしたが、これに代え、金属薄板製の切断刃を接着材や、留め具によってラップフィルム容器１に取り付けるようにしても良い。
（ｃ）  上述の実施の形態においては、ラップフィルム容器１として、全体として透明又は半透明の樹脂材料を用いることにより、内部のラップフィルム本体１１の残量の確認をできるようにしたが、これに代え、内部のラップフィルム本体１１の残量が確認できれば部分的、例えば一方の側板４のみであっても良く、又は例えば側板４か蓋７などに窓（図示せず）を形成し、中が見えるようにし、他は不透明とし、商品説明などを記載する表示部としても良い。この場合の材料としては、例えば色付きのプラスチック材料が考えられる。
また、これに代え、材料が厚紙、商標名「ベークライト」の薄板、マグネシウム合金、セラミックの薄板を用いるようにしても良い。
（ｄ）  上述の実施の形態において、ラップフィルムガイド１３以外の部材にもラップフィルム１１ａに対する付着性がある場合には、第６の実施の形態について上述したと同様にして、ラップフィルムガイド１３に仮留め部材を設け、この仮留め部材の付着力をも含めてラップフィルムガイド１３全体としての付着力を決めるようにすれば良い。
例えば、ラップフィルムガイド１３を用いてラップフィルム容器１内のラップフィルム本体１１から引き出したラップフィルム１１ａを切断刃１０によって切断したとき、ラップフィルム本体１１が全体としてラップフィルム容器１の引出口に引きつけられた状態からラップフィルム容器１内に落ち込む（切断されて引付力がなくなるため）際に、折角引き出したラップフィルム１１ａの先端部分がラップフィルム容器１内に引き戻されるおそれがある。
これを防止するため、ラップフィルム１１ａの引出口の周辺（例えば前板２の上端部及び又は前板片９の内側）に、ラップフィルム１１ａに対する付着力をもつ引戻し防止部材を設けることが考えられる。
このような場合には、ラップフィルムガイド１３をラップフィルム容器１から取り出してラップフィルム１１ａを引き出そうとしても、前板２、前板片９の引戻し防止部材にラップフィルム１１ａがくっつくことにより、ラップフィルム１１ａをスムースに引き出すことができない。
この場合、前板２又は前板片９に設けた引戻し防止部材の面積を小さくすることによりラップフィルム１１ａに対する付着力を弱くし、かつラップフィルムガイド１３側の仮留め部材の面積を大きくすることにより付着力を強くなるように相互の付着力を調整すれば良い。
また、例えばラップフィルムガイド１３、前板片９及び前板２を同じ材料に選定した場合には、例えば前板２及び前板片９の内表面の一部又は全面を凸凹状にし、ラップフィルム１１ａとの接触面積をラップフィルムガイド１３より小さくするようにしても良い。
（ｅ）  図１４及び図１５の場合、不使用時において、ラップフィルムガイド１３Ａは、前板２の前側に引き出されているラップフィルム１１ａに対する付着力によってラップフィルム容器１に保持されるが、ラップフィルム１１ａへの保持力を大きくするため、保持用仮留め部材をラップフィルムガイド１３Ａの表面に設けても良い。
また蓋７、底板３にラップフィルムガイド１３Ａを保持する保持部を設けても良い。保持部としては、例えば蓋７の先端部内面にラップフィルムガイド１３Ａが挟まる溝を形成した構造とすれば良い。
（ｆ）  図１４及び図１５の場合、ラップフィルム容器１の前下端部（特に底板３の下面）に、刃部１０ａを設けたが、これに代え、底板３中に本体部分を埋設し、刃部１０ａを外部へ突出するようにしても良い。また、底板３の上面と前板２の下面との間に挟んでも良い。
（ｇ）  図２０の場合と同様に、２枚のラップフィルムガイド１３Ｃ及び１３Ｄを重ね合せるように用いる場合には、図２１に示すように、ラップフィルムガイド１３Ｃ及び１３Ｄの先端部の角部を予め面とり加工したような形状にしておくことにより、使用後の第１のラップフィルムガイド１３Ｃ（又は第２のラップフィルムガイド１３Ｄ）を押し込む際に、各ラップフィルムガイド１３Ｃ並びに１３Ｄの上端部及び下端部表面のテーパ部ｔを互いに、挿入し合うことができ、その結果外部からのラップフィルムガイド１３Ｄ（又は１３Ｃ）へのラップフィルムガイド１３Ｃ（又は１３Ｄ）の挿入を一段と容易にできる。
産業上の利用可能性
容器からラップフィルムを引き出して必要な分だけ切り取るラップフィルム供給器に適用できる。
【図１】
0003707389.tif 000002
【図４】
0003707389.tif 000003
【図２】
0003707389.tif 000004
【図３】
0003707389.tif 000005
【図５】
0003707389.tif 000006
【図６】
0003707389.tif 000007
【図７】
0003707389.tif 000008
【図８】
0003707389.tif 000009
【図９】
0003707389.tif 000010
【図１０】
0003707389.tif 000011
【図１１】
0003707389.tif 000012
【図２２】
0003707389.tif 000013
【図１２】
0003707389.tif 000014
【図１３】
0003707389.tif 000015
【図１４】
0003707389.tif 000016
【図１５】
0003707389.tif 000017
【図１６】
0003707389.tif 000018
【図１７】
0003707389.tif 000019
【図１８】
0003707389.tif 000020
【図１９】
0003707389.tif 000021
【図２０】
0003707389.tif 000022
【図２１】
0003707389.tif 000023
0003707389.tif 000024